【手続補正書】
【提出日】平成25年7月11日(2013.7.11)
【手続補正１】
【補正対象書類名】特許請求の範囲
【補正対象項目名】全文
【補正方法】変更
【補正の内容】
【特許請求の範囲】
【請求項１】
単一の画像化経路および関連する視野を有するレンズを使用して３次元画像情報を生成する方法であって、
前記レンズの開口面に前記レンズの前記視野内で捕捉される光を案内することと、
前記開口面に近接して配置され、前記単一の画像化経路の第１の部分を通して第１の光状態を有する光を伝達するように配置された第１の部分および前記単一の画像化経路の第２の部分を通して第２の光状態を有する光を伝達するように配置された第２の部分を含む空間識別子で前記捕捉された光を受けることであって、前記単一の画像化経路の前記第１および第２の部分は、前記レンズの画像面に配置された画像センサで第１および第２の画像をそれぞれ形成するために、前記レンズの前記視野内に第１および第２の斜視視点をそれぞれ提供し、前記第１の画像は、前記第１の斜視視点からの前記視野内のオブジェクトを示しており、前記第２の画像は前記第２の斜視視点からの前記オブジェクトを示しており、前記第１および第２の画像は共に、前記オブジェクトの３次元空間属性を示すように動作可能であることと、
前記画像センサ上の第１の複数の選択要素で前記第１の画像を受信することであって、各々の前記第１の複数の選択要素は、前記画像センサの少なくとも一つのセンサ要素に重なり、前記第１の光状態を有する光を伝達するように構成され、
前記画像センサ上の第２の複数の選択要素で前記第２の画像を受信することであって、各々の前記第２の複数の選択要素は、前記画像センサの少なくとも一つのセンサ要素に重なり、前記第２の光状態を有する光を伝達するように構成されることとを含む方法。
【請求項２】
前記識別子の前記第１の部分は、前記単一の画像化経路の前記第１の部分を通して第１の偏光状態を有する光を伝達するように配置された第１の偏光子部分を含んでおり、前記識別子の前記第２の部分は、前記単一の画像化経路の前記第２の部分を通して第２の偏光状態を有する光を伝達するように配置された第２の偏光子部分を含んでおり、
前記第１の画像を受信することは、対応する複数のセンサ要素に前記第１の偏光子部分から受け取った光を伝達し、前記第２の偏光子部分から受け取った光の伝達を遮断するように配置された第１の複数の選択要素で前記第１の画像を受信することを含んでおり、
前記第２の画像を受信することは、対応する複数のセンサ要素に前記第２の偏光子部分から受け取った光を伝達し、前記第１の偏光子部分を受け取った光の伝達を遮断するように配置された第２の複数の選択要素で前記第２の画像を受信することを含んでいる、請求項１に記載の方法。
【請求項３】
前記捕捉された光を受信することは、前記偏光子の前記第１の部分を通して左手側の楕円形偏光状態を有する光を受信し、前記偏光子の前記第２の部分を通して右手側の楕円形偏光状態を有する光を受信することを含んでおり、
各々の前記選択要素は、
前記識別子の前記第１の部分から受け取った光と前記識別子の前記第２の部分から受け取った光のいずれか一方を直線偏光状態に変更するように構成された４分の１波長板と、
前記４分の１波長板と前記少なくとも一つのセンサ要素との間の直線偏光子であって、前記直線偏光子は、前記識別子の前記第１の部分からの光と、前記識別子の前記第２の部分から受け取った光のいずれか一方を伝達するように配置された、前記直線偏光子と、
を含んでいる、請求項２に記載の方法。
【請求項４】
前記左手側の楕円形偏光状態は、左手側の円形偏光状態を含んでおり、前記右手側の楕円形偏光状態は、右手側の円形偏光状態を含んでいる、請求項３に記載の方法。
【請求項５】
前記捕捉された光を受信することは、前記偏光子の前記第１の部分を通して第１の直線偏光配向を有する光を受信し、前記偏光子の前記第２の部分を通して第２の直線偏光配向を有する光を受信することを含んでおり、前記第１の直線配向は前記第２の直線偏光配向と垂直な配向をしており、
前記第１の複数の偏光子要素で前記第１の画像を受信することは、第１の直線偏光状態を有する光を伝達し、前記第２の直線偏光状態を有する光を遮断するように配置された複数の偏光子要素で前記第１の画像を受信することを含んでおり、
前記第２の複数の偏光子要素で前記第２の画像を受信することは、前記第２の直線偏光状態を有する光を伝達し、前記第２の直線偏光状態を有する光を遮断するように配置された複数の偏光要素で前記第２の画像を受信することを含んでいる、請求項２に記載の方法。
【請求項６】
前記識別子の前記第１の部分は、前記第２のセットの波長の光を遮断している間、前記単一の画像化経路の前記第１の部分を通して第１のセットの波長を有する光を伝達するように構成された第１のフィルタ部を含んでおり、前記識別子の前記第２の部分は、前記第１のセットの波長の遮断している間、前記単一の画像化経路の第２の部分を通して第２のセットの波長を有する光を伝達するように構成された第２のフィルタ部を含んでおり、
前記第１の画像を受信することは、あらゆる前記第２のセットの波長を有する光を遮断している間、前記第１のセットの波長の少なくとも一つを有する光を伝達するように動作可能である第１の複数の選択要素で前記第１の画像を受信することを含んでおり、
前記第２の画像を受信することは、あらゆる前記第１のセットの波長を有する光を遮断している間、前記第２のセットの波長の少なくとも一つを有する光を伝達するように動作可能である第２の複数の選択要素で前記第２の画像を受信することを含んでおり、
前記第１および第２のセットの波長はそれぞれ、赤色、緑色および青色の波長を含んでいる、請求項１に記載の方法。
【請求項７】
各々の前記第１の複数の選択要素は一つのセンサ要素に重なり、他の前記第１及び第２のセットの波長を有する光を遮断している間、前記第１のセットの波長の一つを有する光を伝達するように動作可能に構成され、
各々の前記第２の複数の選択要素は一つのセンサ要素に重なり、他の前記第１及び第２のセットの波長を有する光を遮断している間、前記第２のセットの波長の一つを有する光を伝達するように動作可能に構成されることとを含む、請求項６に記載の方法。
【請求項８】
各々の前記第１の複数の選択要素は複数のセンサ要素に重なり、前記第１のセットの波長を有する光を伝達するように動作可能に構成され、
各々の前記第２の複数の選択要素は複数のセンサ要素に重なり、前記第２のセットの波長を有する光を伝達するように動作可能に構成されることとを含む、請求項６に記載の方法。
【請求項９】
前記第１および第２の画像を示す画像信号を生成することと、
前記第１の複数のセンサ要素によって受信される前記第１の画像を示す第１の画像化信号を生成し、前記第２の複数のセンサ要素によって受信される前記第２の画像を示す第２の画像化信号を生成するように画像化信号を処理することであって、前記処理は、前記第１および第２の画像が同じ色外観を有するようにするための、前記第１および第２の画像信号の処理を含んでいることとをさらに含んでいる、請求項６に記載の方法。
【請求項１０】
それぞれの斜視視点位置の間の小さな分離を有する第３および第４の画像を生成するように、前記第１および第２の画像からの画像情報を組み合わせることをさらに含んでいる、請求項１に記載の方法。
【請求項１１】
前記組み合わせることは、前記第１および第２の画像の強度をスケーリングすることを含んでいる、請求項１０に記載の方法。
【請求項１２】
単一の画像化経路および関連する視野を有するレンズを使用して３次元画像情報を生成する装置であって、
レンズであって、前記レンズの開口面に前記レンズの視野内で捕捉された光を案内するように動作可能である単一の画像化経路を有するレンズと、
前記開口面に近接して配置され、前記単一の画像化経路の第１の部分を通して第１の光状態を有する光を伝達するように配置された第１の部分と、前記単一の画像化経路の第２の部分を通して第２の光状態を有する光を伝達するように配置された第２の部分とを含んでいる空間識別子であって、前記単一の画像化経路の前記第１および第２の部分は、前記レンズの画像面で第１および第２の画像をそれぞれ形成するために、前記レンズの前記視野内に第１および第２の斜視視点をそれぞれ提供し、前記第１の画像は前記第１の斜視視点からの前記視野内のオブジェクトを示し、前記第２の画像は前記第２の斜視視点からの前記オブジェクトを示しており、前記第１および第２の画像は共に、前記オブジェクトの３次元空間属性を示すように動作可能である空間識別子と、
前記レンズの前記画像面に配置された画像センサであって、前記第１の光状態を有する光が伝達可能な第１の複数の選択要素、および前記第２の光状態を有する光が伝達可能な前記画像センサ上の第２の複数の選択要素を含んでおり、各々の選択要素は、前記画像センサの少なくとも一つのセンサ要素に重なっている前記画像センサとを備えた装置。
【請求項１３】
前記識別子の前記第１の部分は、前記単一の画像化経路の前記第１の部分を通して第１の偏光状態を有する光を伝達するように配置された第１の偏光子部分を含んでおり、
前記識別子の前記第２の部分は、前記単一の画像化経路の前記第２の部分を通して第２の偏光状態を有する光を伝達するように配置された第２の偏光子部分を含んでおり、
前記第１の複数の選択要素は、対応する複数のセンサ要素に前記第１の偏光子部分から受け取った光を伝達し、前記第２の偏光子部分から受け取った光の伝達を遮断するように配置されており、
前記第２の複数の選択要素は、対応する複数のセンサ要素に前記第２の偏光子部分から受け取った光を伝達し、前記第１の偏光子部分から受け取った光の伝達を遮断するように配置されている、請求項１２に記載の装置。
【請求項１４】
前記第１の偏光状態は、左手側の楕円形偏光であり、前記第２の偏光状態は、右手側の楕円形偏光であり、
各々の前記選択要素は、
前記識別子の前記第１の部分から受け取った光と前記識別子の前記第２の部分から受け取った光のいずれか一方を直線偏光状態に変更するように配置された４分の１波長板と、
前記４分の１波長板と前記少なくとも一つのセンサ要素との間の直線偏光子であって、前記直線偏光要素は、前記識別子の前記第１の部分からの光と前記識別子の前記第２の部分から受け取った光のいずれか一方を伝達するように配置された、前記直線偏光子と、
を含んでいる、請求項１３に記載の装置。
【請求項１５】
前記左手側の楕円形偏光状態は、左手側の円形偏光状態を含んでおり、前記右手側の楕円形偏光状態は、右手側の円形偏光状態を含んでいる、請求項１４に記載の装置。
【請求項１６】
前記第１の偏光状態は、第１の直線偏光配向であり、前記第２の偏光状態は、第２の直線偏光配向であり、前記第１の直線偏光配向は前記第２の直線偏光配向と垂直であり、
前記第１の複数の選択要素は、それぞれ、前記第１の直線偏光状態を有する光を伝達し、前記第２の偏光状態を有する光を遮断するように配置された偏光子要素を備え、
前記第２の複数の選択要素は、それぞれ、前記第２の直線偏光状態を有する光を伝達し、前記第１の偏光状態を有する光を遮断するように配置された偏光子要素を備える、請求項１３に記載の装置。
【請求項１７】
前記第１の直線偏光配向は、垂直に対して−４５度及び＋４５度のいずれか一方に配向されている、請求項１６に記載の装置。
【請求項１８】
前記識別子は、風景配向および肖像画配向の一方で画像を生成するように、約＋９０度及び約−９０度のいずれか一方だけ選択的に回転させるように動作可能に構成されている、請求項１２に記載の装置。
【請求項１９】
前記識別子の前記第１の部分は、第２のセットの波長の光を遮断している間、前記単一の画像化経路の前記第１の部分を通して第１のセットの波長を有する光を伝達するように配置された第１のフィルタ部を含んでおり、
前記識別子の前記第２の部分は、第１のセットの波長の光を遮断している間、前記単一の画像化経路の前記第２の部分を通して第２のセットの波長を有する光を伝達するように配置された第２のフィルタ部分を含んでおり、
前記第１の複数の選択要素は、あらゆる第２のセットの波長の光を遮断している間、少なくとも一つの前記第１のセットの波長を有する光を伝達可能であり、
前記第２の複数の選択要素は、あらゆる第１のセットの波長の光を遮断している間、少なくとも一つの前記第２のセットの波長を有する光を伝達可能であり、
前記第１および第２のセットの波長はそれぞれ、赤色、緑色および青色の波長を含んでいる、請求項１２に記載の装置。
【請求項２０】
各々の前記第１の複数の選択要素は一つのセンサ要素に重なり、他の前記第１及び第２のセットの波長を有する光を遮断している間、前記第１のセットの波長の一つを有する光を伝達するように動作可能に構成され、
各々の前記第２の複数の選択要素は一つのセンサ要素に重なり、他の前記第１及び第２のセットの波長を有する光を遮断している間、前記第１のセットの波長の一つを有する光を伝達するように動作可能に構成されることとを含む、請求項１９に記載の装置。
【請求項２１】
各々の前記第１の複数の選択要素は複数のセンサ要素に重なり、前記第１のセットの波長を有する光を伝達するように動作可能に構成され、
各々の前記第２の複数の選択要素は複数のセンサ要素に重なり、前記第２のセットの波長を有する光を伝達するように動作可能に構成されることとを含む、請求項１９に記載の方法。
【請求項２２】
前記第１および第２のセットの波長はそれぞれ、赤色、緑色および青色の波長を含んでいる、請求項１９に記載の装置。
【請求項２３】
前記識別子は、前記開口面に近接して配置されたレンズ要素の表面に加えられる識別子コーティングを含んでいる、請求項１２に記載の装置。
【請求項２４】
前記識別子は、前記第１および第２の斜視視点に前記第１および第２の画像を形成しながら位置を変えさせるように、前記画像化経路の前記第１の部分の重心と前記画像化経路の前記第２の部分の重心との間の距離を変化させるように動作可能であり、斜視視点位置の前記変化は、前記３次元空間属性の表示の対応する変化を与える、請求項１２に記載の装置。
【請求項２５】
前記識別子は、前記識別子の前記第１の部分を通して伝達される光を制限するように配置された第１の調整可能な開口と、前記識別子の前記第２の部分を通して伝達される光を制限するように配置された第２の調整可能な開口とを備えている、請求項１２に記載の装置。
【手続補正２】
【補正対象書類名】図面
【補正対象項目名】図１
【補正方法】変更
【補正の内容】
【図１】
2012532348.tif 000001
【手続補正３】
【補正対象書類名】図面
【補正対象項目名】図３
【補正方法】変更
【補正の内容】
【図３】
2012532348.tif 000002